(57)【要約】      （修正有）【課題】取付フックに対するキーの係着孔の係着、あるいは係着解除を容易に行うことができ、キーの係着作業性を向上させたキーホルダ用部材を提供する。【解決手段】キーホルダ用部材２０の取付フック２３は、先端の鉤状部２４が基端部側との間で相対的に密着する方向の付勢力を備えるものとしている。取付フック２３の鉤状部２４には、基端部側と密接可能な球状体２５が配設される。取付フック２３に対するキー４の係着は鉤状部２４の基端部側との付勢力に抗して係着孔４Ａに鉤状部２４を挿入させることとし、その際球状体２５にキー４を当接し、ガイドさせて行うことが可能となる。【選択図】図１
0003143853.tif 000002
【実用新案登録請求の範囲】
【請求項１】
全体ループ状に曲回または屈曲され、基端部側をキーホルダ用部材の本体に支持可能とし、曲回または屈曲された先端の鉤状部より、キーの基端部に配設される係着孔を挿入可能とする取付フックを備え、
該取付フックは先端の鉤状部が基端部側との間で相対的に密着する方向の付勢力を備えるものとし、取付フックに対するキーの係着を鉤状部の基端部側との間の付勢力に抗して係着孔に鉤状部を挿入させ、ループ状に曲回または屈曲された取付フックにキーの係着孔を挿通・保持させることとしてなるキーホルダ用部材において、
前記取付フックの鉤状部に、基端部側と密接可能な球状体を配設したことを特徴とするキーホルダ用部材。
【考案の詳細な説明】
【技術分野】
【０００１】
本考案は、全体ループ状に曲回または屈曲され、基端部側をキーホルダ用部材の本体に支持可能とし、曲回または屈曲された先端の鉤状部より、キーの基端部に配設される係着孔を挿入可能とする取付フックを備えるキーホルダ用部材に関する。
【背景技術】
【０００２】
キーホルダ用部材には、従来様々な形状、構造のものが提案されているが、比較的に市場に多く出回っているものとして、下記特許文献１に示すように、キー（鍵）の基端部に配設される係着孔を挿入可能とする取付フックを備えるタイプのものが存在する。
【特許文献１】特開２００３−５２５２３号
【０００３】
この特許文献１等に示されるタイプのキーホルダ用部材を取付けてなるキーホルダの全体を図５に示し、またこのキーホルダに用いられるキーホルダ用部材を図６に示す。キーホルダ用部材１は、例えば合成樹脂や皮材などで形成され、矢印Ａ方向に開閉可能とされるキーホルダ本体２の内面上方に取付金具３（ビス）を用いて取付けられる。キーホルダ本体２は、キーホルダ用部材１にキー４が係着された状態において、矢印Ａ方向に閉塞される。この状態でキーホルダ本体２に取着されたベルクロファスナ５の雄部５Ａと雌部５Ｂ同士を係合し、キー４を収容可能にしている。
【０００４】
キーホルダ用部材１は、図６に示すように金属製の本体６の一部を切り起こして形成される４つの支持片７に対し、それぞれＳ字状に巻回された取付フック支持部材８を係着している。各取付フック支持部材８には、それぞれ取付フック９が取付けられ、各取付フック９は図５および図６に示すキー４の基端部に配設される係着孔４Ａを挿入し、支持可能としている。
【０００５】
すなわち、取付フック９は全体ループ状に曲回され、あるいは屈曲された基端部を取付フック支持部材８に係着する状態でキーホルダ用部材１に支持され、該取付フック９は曲回または屈曲された先端の鉤状部１０よりキー４の係着孔４Ａを挿入可能としている。
【０００６】
取付フック９は、鉤状部１０と取付フック９の基端側のループ端９Ａとが相互に、かつ相対的に密着する方向の付勢力を備えるものとされ、この取付フック９に対するキー４の係着孔４Ａの挿入は、この鉤状部１０とループ端９Ａとの間の付勢力に抗して行うようにする（図６矢印参照）。こうして図５に示すようにループ状に曲回または屈曲された取付フック９にキー４の係着孔４Ａを挿通・保持させることが可能となる。
【０００７】
この他にも従来のキーホルダ用部材には、図７に示すように円形に巻回される状態で曲回された取付フック１１も数多く用いられる。こうしたタイプの取付フック１１も先端の鉤状部１２が基端側との間で相対的に密着する付勢力を備えるものとされ、取付フック１１に対するキー４の係着を、キー４の係着孔４Ａを鉤状部１２と基端部のループ端１１Ａ側との間の付勢力に抗して両者の間に挿入させて行うようにしている。この結果、キー４の係着孔４Ａを取付フック１１に挿通・保持させることを可能にしている。
【考案の開示】
【考案が解決しようとする課題】
【０００８】
上記従来のキーホルダ用部材１の取付フック９や取付フック１１にあっては、キー４の係着孔４Ａを取付フック９や取付フック１１に挿通・保持させる場合に、先端の鉤状部１０、１２と基端部側のループ端９Ａ、１１Ａとの間に付勢力に抗して係着孔４Ａを挿入して行うこととしているため、ある程度の力が必要とされ、キー４の係着作業が煩わしいものとされていた。特に新品のキーホルダの場合、鉤状部と基端部間の相対的に密着する付勢力が強く、係着作業がやりにくく、特に非力な老人等においてこの作業は敬遠されていた。
【０００９】
本考案は、こうした不具合に着目してなされたものであり、取付フックに対するキーの係着孔の係着、あるいは係着解除を容易に行うことができ、キーの係着作業性を向上させたキーホルダ用部材の提供を目的とするものである。
【課題を解決するための手段】
【００１０】
上記目的を達成するため、本考案は全体ループ状に曲回または屈曲され、基端部側をキーホルダ用部材の本体に支持可能とし、曲回または屈曲された先端の鉤状部より、キーの基端部に配設される係着孔を挿入可能とする取付フックを備え、該取付フックは先端の鉤状部が基端部側との間で相対的に密着する方向の付勢力を備えるものとし、取付フックに対するキーの係着を鉤状部の基端部側との間の付勢力に抗して係着孔に鉤状部を挿入させ、ループ状に曲回または屈曲された取付フックにキーの係着孔を挿通・保持させることとしてなるキーホルダ用部材において、前記取付フックの鉤状部に、基端部側と密接可能な球状体を配設したことを特徴とするキーホルダ用部材としたものである。
【考案の効果】
【００１１】
本考案のキーホルダ用部材によれば、取付フックの鉤状部に、基端部側に対して密着する常時において、該基端部側を密接可能な球状体を配設したため、キーの係着孔を取付フックに係着させる場合、球状体にガイドさせる状体で鉤状部と基端部との間にスムーズにキーの係着孔を挿入させることが可能となる。この結果、鉤状部が基端部との間で相対的に密着する付勢力が大きい場合においても容易にキーを取付フックに係着させることができる。したがって、取付フックに対するキーの係着孔の係着、あるいは係着解除を容易に行うことができ、キーの係着作業性を向上させたキーホルダ用部材の提供を行うことができる。
【考案を実施するための最良の形態】
【００１２】
以下、考案の好適な実施形態について、図面に基づいて説明する。図１は実施形態に係るキーホルダ用部材の斜視図、図２はキーホルダ用部材の取付フックを示す側面図である。図１において、２０はキーホルダ用部材であり、図５に示すようなキーホルダ本体２に対して、取付金具３（ビス）を用いて取付けることを可能にしている。
【００１３】
このキーホルダ用部材２０は、本体２１の下部を一定間隔で切欠き、その部分を手前側に折り曲げて該部分で軸部材２２を支持・固定させるようにしている。軸部材２２には、本体２１の下部切欠き位置に対応する胴回りに凹溝を備えるようにし、該凹溝部分に取付フック２３の基部を回動可能に支持し、取付けるようにしている。
【００１４】
軸部材２２に取付けられる各取付フック２３は、全体をループ状に曲回または屈曲され、曲回または屈曲された先端に鉤状部２４を備えるようにしている。鉤状部２４はループ状に曲回または屈曲された基端部側との間で図２の矢印Ｂ方向に相対的に密着する付勢力を備える。鉤状部２４には、図２に示すように基端部側に対して密接可能な球状体２５が配設される。球状体２５は鉤状部２４と一体に形成される金属製あるいは合成樹脂製のものとされる。
【００１５】
こうして形成される取付フック２３に対し、図１に示す基端部に係着孔４Ａを備えたキー４を係着させるには、キー４の基端部を、鉤状部２４における矢印Ｂ方向に作用する基端部側との間の付勢力に抗して矢印Ｃに示すように挿入し、行うようにする。この際、鉤状部２４には球状体２５が配設されるため、キー４の係着孔４Ａを取付フック２３に係着させる場合に、球状体２５にキー４の基端部を当接し、ガイドさせる状態で鉤状部２４と基端部の間にスムーズにキー４の係着孔４Ａを挿入させることが可能となる。
【００１６】
この結果、鉤状部２４がループ状の基端部との間で相対的に作用する矢印Ｂ方向の付勢力が大きい場合においても、容易にキー４の係着孔４Ａを取付フック２３に挿通・保持させて（図２の２点鎖線参照）係着させることができる。逆に取付フック２３からキー４を係着解除させる場合は、球状体２５にガイドさせるようにしてその作業を容易に行うことができる。
【００１７】
上記実施形態においては、取付フック２３を図２に示すように全体楕円形に曲回したループ状のものとしているが、本考案はこのような形態のものに限定されるものではない。例えば図３に示す取付フック２６は先端の鉤状部２７を渦巻き状に曲回させてなり、鉤状部２７の先端に形成された球状体２８を常時基端部側に密接させている。
【００１８】
また、図４に示す取付フック２９は、全体を菱形に屈曲させたループ状のものとし、屈曲させた先端の鉤状部３０に球状体３１を備えるようにしている。
この球状体３１の部分においても常時基端部側に密接させるようにしている。このように取付フックとしては、様々な形態のものを採用することができ、要はループ状に曲回または屈曲させた鉤状部の先端に球状体を備えることとすればよい。
【図面の簡単な説明】
【００１９】
【図１】本考案の最良の実施形態に係るキーホルダ用部材を示す斜視図である。
【図２】キーホルダ用部材の取付フックを示す側面図である。
【図３】取付フックの他の例を示す側面図である。
【図４】取付フックのその他の例を示す側面図である。
【図５】従来のキーホルダ用部材を備えたキーホルダの全体を示す斜視図である。
【図６】キーホルダ用部材の正面図である。
【図７】従来の他のキーホルダ用部材における取付フックを示す正面図である。
【符号の説明】
【００２０】
１、２０    キーホルダ用部材
２          キーホルダ本体
３          取付金具（ビス）
４          キー
４Ａ        係着孔
５          ベルクロファスナ
６、２１    本体
７          支持片
８          取付フック支持部材
９、１１、２３、２６、２９  取付フック
１０、１２、２４、２７、３０   鉤状部
２２        軸部材
２５、２８、３１  球状体
【図１】
0003143853.tif 000003
【図２】
0003143853.tif 000004
【図３】
0003143853.tif 000005
【図４】
0003143853.tif 000006
【図５】
0003143853.tif 000007
【図６】
0003143853.tif 000008
【図７】
0003143853.tif 000009